(57)【要約】【課題】書類やカタログなどの資料を外方から透視することができると共に、筆記具を固定位置に誘導し易く、かつ、固定位置に誘導後は、筆記具を安定して支持することができるホルダ。【解決手段】重ね合わせた複数のカバー１１，１２で構成され、かつ、その背１３と地縁１４とがそれぞれ接合されているホルダである。前記複数のカバー１１，１２の少なくとも一方に筆記具装着用透孔１５を設ける。筆記具装着用透孔１５は、筆記具６０に装着されているクリップ６１の付け根の部分６２を固定するクリップ付け根固定部１６と、該クリップ付け根固定部１６より所定の間隔を隔てて設けられ、かつ、前記クリップ６１の先端にある挟持玉部６３を挿入する挟持玉部挿入部１７と、前記クリップ６１の先端を差し込むと共に前記クリップ６１の付け根の部分６３を前記クリップ付け根固定部１６に誘導するクリップ挿入誘導部１８ａ〜１８ｆにより構成されている。【選択図】図１
0003116826.tif 000002
【実用新案登録請求の範囲】
【請求項１】
重ね合わせた複数のカバーで構成され、かつ、その背と地縁とがそれぞれ接合されているホルダにおいて、前記複数のカバーの少なくとも一方に筆記具装着用透孔を設け、該筆記具装着用透孔が、筆記具に装着されているクリップの付け根の部分を固定するクリップ付け根固定部と、該クリップ付け根固定部より所定の間隔を隔てて設けられ、かつ、前記クリップの先端にある挟持玉部を挿入する挟持玉部挿入部と、前記クリップの先端を差し込むと共に前記クリップの付け根の部分を前記クリップ付け根固定部に誘導するクリップ挿入誘導部により構成されているホルダ。
【請求項２】
前記クリップ挿入誘導部の中に、前記クリップ挿入誘導部の縁から前記クリップ付け根固定部の方向に向けて突出させた片持ち式のクリップ誘導片を設けた請求項１記載のホルダ。
【請求項３】
前記クリップ挿入誘導部を切欠き溝状にして、前記クリップ挿入誘導部が前記カバーの縁部に開口するようにした請求項１記載のホルダ。
【請求項４】
前記複数のカバーにそれぞれ前記筆記具装着用透孔を設けると共に前記筆記具装着用透孔を互いに対峙させることを特徴とする請求項１に記載のホルダ。
【請求項５】
前記カバーが透明又は半透明の合成樹脂製の平板でできている請求項１に記載のホルダ。
【考案の詳細な説明】
【技術分野】
【０００１】
本考案は、重ね合わせた複数のカバーで構成され、かつ、その背と地縁とがそれぞれ接合されているホルダに関するものである。
【背景技術】
【０００２】
従来、重ね合わせた複数のカバーで構成され、かつ、その背と地縁とがそれぞれ接合されている合成樹脂製のホルダがある。このホルダは、複数のカバーの間に差し込んだ書類やカタログなどの資料を外方から透視することができるので、重用されている。
他方、背表紙の内面に綴具を取り付けたバインダーにおいて、その表紙の一側に筆記具取付用透孔を設けたバインダーが提案されている（例えば、特許文献１参照）。
また、表紙体の小口縁に近い天縁に筆記具のクリップが取付脚部が嵌入する切欠部を設けると共に当該切欠部の下方位置に筆記具のクリップの狭玉部が嵌入する孔を設けたフアイル、手帳、ノート等の冊子が提案されている（例えば、特許文献２参照）。
また、背の部分で接合している前部カバーと後部カバーの両方の互いに対峙する箇所にそれぞれ穴を設け、筆記具のクリップを利用して前部カバーと後部カバーとを閉じるようにしたホルダが提案されている（例えば、特許文献３参照）。
更に、下敷きやファイルなどの平板状の本体に切り込みを入れ、その下に穴をいくつか開けて刺したペンなどのクリップが抜け難い形状の文房具が提案されている（例えば、特許文献４参照）。
【特許文献１】実開昭５６−５７８６６号公報
【特許文献２】実開昭６４−５２７８６号公報
【特許文献３】特開平６−２４１９２号公報
【特許文献４】特開２００１−４７７９３号公報
【０００３】
従来の合成樹脂製のホルダは、複数のカバーの間に差し込んだ書類やカタログなどの資料を外方から透視することができるので、重用されているが、筆記具を装着するための筆記具装着用透孔などが設けられていないので、例えば、会議室などに集合する場合は、筆記具をそのまま手に持つか、あるいは、筆記具のクリップを前記ホルダの天縁などに掛けて持ち運んでいた。
また、特許文献１のバインダーは、表紙の一側に筆記具取付用透孔を設けているが、この筆記具取付用透孔は、円形状であるから、前記筆記具取付用透孔に筆記具のクリップを掛けても筆記具が安定しない。
【０００４】
また、特許文献２の冊子は、表紙体の小口縁に近い天縁に筆記具のクリップが取付脚部が嵌入する切欠部を設けると共に、当該切欠部の下方位置に筆記具のクリップの狭玉部が嵌入する孔を設けたものであるから、筆記具を安定して保持することができるが、クリップを誘導する部分が無いため、クリップを切欠部に嵌入し難い。
【０００５】
また、特許文献３のホルダは、背の部分で接合している前部カバーと後部カバーの両方の互いに対峙する箇所にそれぞれ穴を設け、筆記具のクリップを利用して前部カバーと後部カバーとを閉じるようにしているので、前部カバーと後部カバーの間に挿んだ資料などが落ち難いが、クリップを掛ける穴が一つしかないので、筆記具が安定し難い。
更に、特許文献４の文房具は、下敷きやファイルなどの平板状の本体に切り込みを入れ、その下に穴をいくつか開けているので、筆記具を安定して保持することができるが、クリップを誘導する部分が無いため、クリップを切欠部に嵌入し難い。
【考案の開示】
【考案が解決しようとする課題】
【０００６】
本考案は、このような従来の問題を解消するために考案したものであり、その目的とするところは、書類やカタログなどの資料を外方から透視することができると共に、筆記具を固定位置に誘導し易く、かつ、固定位置に誘導後は、筆記具を安定して支持することが可能であるホルダを提供することにある。
【課題を解決するための手段】
【０００７】
上記の課題を解決するため、本考案は、次のように構成されている。
請求項１の記載に係る本考案のホルダは、重ね合わせた複数のカバーで構成され、かつ、その背と地縁とがそれぞれ接合されているホルダにおいて、前記複数のカバーの少なくとも一方に筆記具装着用透孔を設け、該筆記具装着用透孔が、筆記具に装着されているクリップの付け根の部分を固定するクリップ付け根固定部と、該クリップ付け根固定部より所定の間隔を隔てて設けられ、かつ、前記クリップの先端にある挟持玉部を挿入する挟持玉部挿入部と、前記クリップの先端を差し込むと共に前記クリップの付け根の部分を前記クリップ付け根固定部に誘導するクリップ挿入誘導部により構成されている。
請求項２の記載に係る本考案のホルダは、前記クリップ挿入誘導部の中に、前記クリップ挿入誘導部の縁から前記クリップ付け根固定部の方向に向けて突出させた片持ち式のクリップ誘導片を設けた請求項１記載のホルダである。
請求項３の記載に係る本考案のホルダは、前記クリップ挿入誘導部を切欠き溝状にして、前記クリップ挿入誘導部が前記カバーの縁部に開口するようにした請求項１記載のホルダである。
請求項４の記載に係る本考案のホルダは、前記複数のカバーにそれぞれ前記筆記具装着用透孔を設けると共に前記筆記具装着用透孔を互いに対峙させることを特徴とする請求項１に記載のホルダである。
請求項５の記載に係る本考案のホルダは、前記カバーが透明又は半透明の合成樹脂製の平板でできている請求項１に記載のホルダである。
【考案の効果】
【０００８】
請求項１の記載に係る本考案のホルダは、クリップの先端を差し込むと共に前記クリップの付け根の部分をクリップ付け根固定部に誘導するクリップ挿入誘導部を設けているので、当該クリップ挿入誘導部にクリップの先端を差し込んだ後、クリップを前記クリップ挿入誘導部の縁に沿って移動させる簡単な操作によって筆記具のクリップをクリップ挿入誘導部に接続されているクリップ付け根固定部に誘導することができる。
また、このホルダの筆記具装着用透孔は、筆記具に装着されているクリップの付け根の部分を固定するクリップ付け根固定部と、該クリップ付け根固定部より所定の間隔を隔てて設けられ、かつ、前記クリップの先端にある挟持玉部を挿入する挟持玉部挿入部とを有しているので、クリップ付け根固定部と挟持玉部挿入部により筆記具のクリップを安定して固定することができる。
また、請求項２の記載に係る本考案のホルダは、前記クリップ挿入誘導部の中に、前記クリップ挿入誘導部の縁から前記クリップ付け根固定部の方向に向けて突出させた片持ち式のクリップ誘導片を設けたので、筆記具のクリップをクリップ付け根固定部に差し込む時に、筆記具のクリップの先端をクリップ誘導片に接触させて滑らせながらクリップ付け根固定部に簡単に誘導させることができる。
請求項３の記載に係る本考案のホルダは、前記クリップ挿入誘導部を切欠き溝状にして、前記クリップ挿入誘導部が前記カバーの縁部に開口するようにしたので、当該クリップ挿入誘導部にクリップの先端を差し込んだ後、クリップを前記クリップ挿入誘導部の縁に沿って移動させるだけで筆記具のクリップをクリップ挿入誘導部に接続されているクリップ付け根固定部に誘導することができる。
請求項４の記載に係る本考案のホルダは、前記複数のカバーにそれぞれ前記筆記具装着用透孔を設けると共に前記筆記具装着用透孔を互いに対峙させたので、対峙している両方の筆記具装着用透孔に筆記具のクリップを掛け渡すことにより、カバーの小口部を閉じることができる。
請求項５の記載に係る本考案のホルダは、前記カバーが透明又は半透明の合成樹脂製の平板でできているので、カバーを開かなくても、外方からホルダ内の資料を透視することができる。
【考案を実施するための最良の形態】
【０００９】
以下、本考案の実施の形態を図面を用いて順次説明する。
（１）第１の実施の形態
先ず、本考案に係るホルダの第１の実施の形態を図１を用いて説明する。
図１のホルダ１０ａは、透明又は半透明の熱可塑性合成樹脂製の長方形の平板（図示せず）を、その背１３の部分から二つに折っておもてカバー１１及びうらカバー１２とした後、両カバー１１，１２の地縁１４の部分を融着して形成したものである。
このホルダ１０ａは、図１に示すように、おもてカバー１１に筆記具装着用透孔１５を設けている。この筆記具装着用透孔１５は、クリップ付け根固定部１６、挟持玉部挿入部１７及びクリップ挿入誘導部１８ａにより構成されている。
クリップ付け根固定部１６は、凹形に形成され、円形状のクリップ挿入誘導部１８ａの下部に設けられている。また、挟持玉部挿入部１７は、ほぼ正方形に形成され、クリップ付け根固定部１６の下方に所定の間隔を隔てて設けられている。
更に詳しく説明すると、クリップ付け根固定部１６は、ボールペンなどの筆記具に装着されているクリップの付け根の部分を固定する役目を持っている。また、挟持玉部挿入部１７は、クリップ付け根固定部１６より所定の間隔を隔てて設けられ、かつ、前記クリップの先端にある挟持玉部を挿入する役目を持っている。更に、クリップ挿入誘導部１８ａは、前記クリップの先端を差し込むと共に前記クリップの付け根の部分を前記クリップ付け根固定部に誘導する役目を持っている。
従って、図２に示すように、おもてカバー１１に設けられている筆記具装着用透孔１５に筆記具６０のクリップ（図示せず）を装着すると、図３に示すように、筆記具６０に装着されているクリップ６１の付け根の部分６２がクリップ付け根固定部１６によって固定される。と同時に、クリップ６１の先端に設けられている挟持玉部６３が挟持玉部挿入部１７の中に入り込み、挟持玉部挿入部１７によって固定される。
また、円形状のクリップ挿入誘導部１８ａにクリップ６１の先端を差し込んだ後、クリップ６１の付け根の部分６２を円形状のクリップ挿入誘導部１８ａの縁２２に沿わせて移動させると、クリップ６１の付け根の部分６２がクリップ付け根固定部１６に自動的に誘導される。
このホルダ１０ａは、おもてカバー１１の小口部側に半円弧状の切欠き部１９を設け、ホルダ１０ａの小口部２０を開口し易くしている。また、このホルダ１０ａは、半円弧状の切欠き部１９と同じ側に三角形の切欠き部２１を設けている。
【００１０】
（２）第２の実施の形態
次に、本考案に係るホルダの第２の実施の形態を図４を用いて説明するが、第１の実施の形態のホルダと同じ部位に同じ符号を付けて詳しい説明を省略する。
このホルダ１０ｂは、既に説明した円形状のクリップ挿入誘導部１８ａの中に、前記クリップ挿入誘導部１８ａの縁２２の一部から前記クリップ付け根固定部１６の方向に向けて突出させた片持ち式の円形状のクリップ誘導片２３を設けている。
この円形状のクリップ誘導片２３は、図５に示すように、矢印Ａの方向に押し込むことにより、その接続部２４を支点にしてうらカバー１２側に傾斜するから、このクリップ誘導片２３に図示しないクリップの先端を接触させて滑らせることができる。そして、クリップ６１の付け根の部分６２をクリップ付け根固定部１６に簡単に誘導させることができる。
【００１１】
（３）第３の実施の形態
次に、本考案に係るホルダの第３の実施の形態を図７を用いて説明するが、第１の実施の形態のホルダと同じ部位に同じ符号を付けて詳しい説明を省略する。
このホルダ１０ｃは、おもてカバー１１の天縁２５側にほぼ切欠き状のクリップ挿入誘導部１８ｃを設けたものであり、その下部にほぼ長方形のクリップ付け根固定部１６を設けている。更に、その下方に所定の間隔を隔ててほぼ正方形の挟持玉部挿入部１７を設けている。
この例の場合は、切欠き状のクリップ挿入誘導部１８ｃの縁２６に沿って図示しないクリップの付け根の部分を滑らせることにより、クリップの付け根の部分をクリップ付け根固定部１６に自動的に誘導することができる。
なお、このクリップ挿入誘導部１８ｂは、大小の二つの台形２７ａ，２７ｂを二段に重ねて投影した画像の形状となっている。
【００１２】
（４）第４の実施の形態
次に、本考案に係るホルダの第４の実施の形態を図８を用いて説明するが、第１の実施の形態のホルダと同じ部位に同じ符号を付けて詳しい説明を省略する。
このホルダ１０ｄは、おもてカバー１１の天縁２５側にＹ字形のクリップ挿入誘導部１８ｄを設けたものであり、その下部にほぼ長方形のクリップ付け根固定部１６を設けている。更に、その下方に所定の間隔を隔ててほぼ正方形の挟持玉部挿入部１７を設けている。
この例の場合は、クリップ挿入誘導部１８ｄの三角形の開口部２８の縁２９及び前記三角形の開口部２８に続いているスリット３０に沿ってクリップの付け根の部分を移動させることにより、クリップの付け根の部分をクリップ付け根固定部１６に自動的に誘導することができる。
【００１３】
（５）第５の実施の形態
次に、本考案に係るホルダの第５の実施の形態を図９を用いて説明するが、第１の実施の形態のホルダと同じ部位に同じ符号を付けて詳しい説明を省略する。
このホルダ１０ｅは、おもてカバー１１に筆記具装着用透孔１５を設けることには変わりがないが、クリップ挿入誘導部１８ｅとクリップ付け根固定部１６とがＬ字形に組み付けられている。
従って、クリップ挿入誘導部１８ｅに図示しない筆記具のクリップを掛けた後、クリップを直線状のクリップ挿入誘導部１８ｅの縁３１に沿って横方向に移動させると、クリップの付け根の部分をクリップ付け根固定部１６に自動的に誘導することができる。
なお、このクリップ挿入誘導部１８ｅは、２点鎖線で示すように、反転させた状態にしても同様の効果を得ることができる。
【００１４】
（６）第６の実施の形態
次に、本考案に係るホルダの第６の実施の形態を図１０を用いて説明するが、第１の実施の形態のホルダと同じ部位に同じ符号を付けて詳しい説明を省略する。
このホルダ１０ｆは、おもてカバー１１とうらカバー１２との両方に筆記具装着用透孔１６を設けたものである。この筆記具装着用透孔１６は、図１１に示すように、互いに対峙しているから、両方の筆記具装着用透孔１６に図示しない筆記具のクリップを掛け渡すことにより、ホルダ１０ｆの小口部２０を閉じることができる。なお、両方の筆記具装着用透孔１５は、ホルダ１０ｆの小口部２０の近傍に設けられている。
【図面の簡単な説明】
【００１５】
【図１】本考案に係るホルダの第１の実施の形態を示す平面図である。
【図２】本考案に係るホルダの使用説明図である。
【図３】図２のＸ−Ｘ断面図である。
【図４】本考案に係るホルダの第２の実施の形態を示す平面図である。
【図５】図４のＹ−Ｙ断面図である。
【図６】本考案に係るホルダの第２の実施の形態の要部を示す斜視図である。
【図７】本考案に係るホルダの第３の実施の形態を示す平面図である。
【図８】本考案に係るホルダの第４の実施の形態を示す平面図である。
【図９】本考案に係るホルダの第５の実施の形態を示す平面図である。
【図１０】本考案に係るホルダの第６の実施の形態を示す平面図である。
【図１１】図１０のＹ−Ｙ断面図である。
【符号の説明】
【００１６】
１０ａ〜１０ｆ  ホルダ
１１，１２  カバー
１３  背
１４  地縁
１５  筆記具装着用透孔
１６  クリップ付け根固定部
１７  挟持玉部挿入部
１８ａ〜１８ｆ  クリップ挿入誘導部
６０  筆記具
６１  クリップ
６２  クリップの付け根の部分
６３  挟持玉部
【図１】
0003116826.tif 000003
【図２】
0003116826.tif 000004
【図３】
0003116826.tif 000005
【図４】
0003116826.tif 000006
【図５】
0003116826.tif 000007
【図６】
0003116826.tif 000008
【図７】
0003116826.tif 000009
【図８】
0003116826.tif 000010
【図９】
0003116826.tif 000011
【図１０】
0003116826.tif 000012
【図１１】
0003116826.tif 000013